(57)【特許請求の範囲】
【請求項１】
上下二段に独立した扉を備える二段式ロッカーであって、上部ロッカーと下部ロッカーとの仕切部を、
上下に一定寸法離隔させ、左右それぞれ異なるロッカー側壁面に基端部を固定し、先端部をロッカーの略中央部まで延設した略平行な二枚の間仕切りパネルと、
各間仕切りパネルの先端部に一端を固定し、他端を他方の間仕切りパネルに固定してなる垂直パネルと、
この垂直パネルの手前側の側部に、ロッカー側壁面に向かって延びる所定サイズの遮蔽パネルを配したことを特徴とする二段式ロッカー。
【請求項２】
二枚の垂直パネルは、左右に一定寸法離隔させ、少なくとも上下略中央部に一枚の仕切板を配したことを特徴とする請求項１記載の二段式ロッカー。
【発明の詳細な説明】
【０００１】
【発明の属する技術分野】
本発明は、上下二段に使用するロッカーに係り、とくに上段と下段にそれぞれ衣類用のハンガースペースを設ける構造に関する。
【０００２】
【従来の技術】
限られた室内空間を有効に利用するため、従来から上下多段式の各種ロッカーが市販されている。このうち上下二段式のロッカーは、三段以上の多区分ロッカーと異なり、上下方向にある程度の大きさのある荷物を入れることが出来る。例えば衣類である。
【０００３】
従来公知の二段式ロッカーは、上下空間を単純に仕切パネルで画成するものの他、例えば図９に示すように、正面形状略Ｚ型の仕切パネル２を用いてロッカー内の上下空間Ｓ１、Ｓ２を仕切り、この仕切パネル２の形状に合わせて成形した特殊形状の開閉ドア４を配したものがある。６は蝶番、７は把手、８は開閉ドア４の突出部である。
【０００４】
略Ｚ型の仕切パネル２を用い、特殊形状の開閉ドア４を備えるロッカーは、単純な二段式ロッカーと異なり、上下に大きな寸法を確保することが出来るため、ハーフコートやズボン等、上下寸法が長い衣類であっても伸ばしたまま収納できる利点がある。
【０００５】
【発明が解決しようとする課題】
ところで、丈の長い衣類を収納できる従来の二段式ロッカーは、特殊形状の開閉ドア４を用いるため、経年劣化が著しいという問題がある。突出部８の左右幅が狭く、剛性を確保できないためである。、左右の幅寸法が狭い突出部８は、開閉ドア４の開け閉めの度に、引っ張りや捻りの作用を受け、また衝撃にも弱く、短期間の内に変形を生じやすい。
【０００６】
そこで本発明の目的は、剛性に優れる単純な方形の開閉ドアを使用することを前提として、上部ロッカーと下部ロッカーの独立を保証しつつ、丈の長い衣類を収納可能とする点にある。
【０００７】
【課題を解決するための手段】
前記目的を達成するため、本発明に係る二段式ロッカーは、上部ロッカーと下部ロッカーとの仕切部を、次の▲１▼〜▲３▼の条件で構成する。
▲１▼  上下に一定寸法離隔させ、左右それぞれ異なるロッカー側壁面に基端部を固定し、先端部をロッカーの略中央部まで延設した略平行な二枚の間仕切りパネルを備え、
▲２▼  各間仕切りパネルの先端部に一端を固定し、他端を他方の間仕切りパネルに固定してなる垂直パネルを備え、
▲３▼  垂直パネルの手前側の側部に、ロッカー側壁面に向かって延びる所定サイズの遮蔽パネルを備える。
【０００８】
また、二枚の垂直パネルは、左右に一定寸法離隔させ、少なくとも上下略中央部に一枚の仕切板を配する場合がある。
【０００９】
【発明の実施の形態】
図１〜図５は、本発明に係る二段式ロッカーの一実施形態を示す図である。このロッカー１０は、図１に示すように、上部空間Ｓ１と下部空間Ｓ２を、所定構造の仕切部材２０によって画成する。
【００１０】
仕切部材２０は、図２に示すように、上下に所定寸法離隔させて水平に配した略平行な二枚の間仕切りパネル２１、２２を備え、各間仕切りパネル２１，２２の先端部Ｆ１，Ｆ２に一端部を固定し、他端部を、多情の間仕切りパネル２１，２２に固定した垂直パネル３１，３２を備える。尚、６１は最も単純な構造である方形に成形した開閉扉、６３は、開閉扉６１のヒンジ、６５は把手である。
【００１１】
二枚の間仕切りパネル２１、２２は、それぞれロッカー１０の左右側壁１１，１２から中央部に向かって略水平に突設し、それぞれ左右中央位置を越える左右寸法を備える。図１に示すように、例えば上下ロッカー空間の左右幅をＷ１とし、間仕切りパネル２１、２２の左右寸法をＷ２とすれば、（Ｗ１／２）＜Ｗ２という関係である。尚、Ｗ２は必ずしも同一である必要はない。
【００１２】
ロッカー１０の正面から見ると、二枚の間仕切りパネル２１、２２は中央部で互いにクロス（重複）する長さになっている。ここで一方の間仕切りパネル２１（図１では上段パネル）の先端部Ｆ１から、下段パネル２２に対し垂直パネル３１を垂下固定する。また他方の間仕切りパネル２２（図１では下段パネル）の先端部Ｆ２から、上段パネル２１に対し垂直パネル３２を立ち上げ固定する。
【００１３】
間仕切りパネル２１、２２の先端部Ｆ１、Ｆ２の位置関係により、垂直パネル３１，３２は、左右に所定幅の小空間（Ｓ３）を形成する。この小空間（Ｓ３）を、上下中央で仕切れば、ロッカー１０の上部空間Ｓ１の使用者と下部空間Ｓ２の使用者は、それぞれ各自の利用できる小空間Ｓ３−１、Ｓ３−２を得る。符号３５は、小空間Ｓ３を上下中央で仕切る画成パネルである。
【００１４】
間仕切りパネル２１、２２の基端部Ｂ１，Ｂ２は、それぞれロッカー本体の側壁面１１、１２に固定する。理解の容易のため、図１では基端部Ｂ１，Ｂ２を太線で表現してある。この基端部Ｂ１，Ｂ２は、例えば、図３に示すように、断面略Ｌ字状の係合フックとし、この係止フックＢ２（Ｂ１）を、ロッカー本体の側壁面１２（１１）に配設した断面略Ｌ字状の係止フック４７（４６）に係着させて固定する。スポット溶接でも構わない。また垂直パネル３１，３２の上下端部の固定も、係合方式またはスポット溶接によって行う。画成パネル３５の左右両端部の固定も同様であり、係合またはスポット溶接によって行う。
【００１５】
かかる仕切部材２０の構成によれば、上下二枚の間仕切りパネル２１、２２を、二枚の垂直パネル３１，３２が互いに掛け渡して連絡し、水平方向に延設される間仕切りパネル２１、２２の耐荷重性を格段に増大することができる。また小空間Ｓ３−１、Ｓ３−２を構成するための画成パネル３５の存在により、仕切部材２０の剛性は、従来構造に較べて格段に向上する。
【００１６】
但し、かかる構造のままでは実用上の問題が残る。図４にも示すように、本発明に係るロッカー１０は、開閉扉６１を最も単純な方形に成形して使用することを前提とするため、以上の構造のままの場合、例えば上部空間Ｓ１の使用者が自分の開閉扉（６１）を開けたときに、下部空間Ｓ２の一部（図４に符号７０で示す部分）が露呈するからである。
【００１７】
そこで本発明は、図５に示すように、この露呈部分（７０）に遮蔽パネル７１、７２を配し、上下の各空間（Ｓ１，Ｓ２）を使用する者が、互いに他者の衣類に干渉せず、独自の空間利用が出来るようにしてある。遮蔽パネル７２により盗難の防止効果も生ずることは当然である。尚、本実施形態では、上部空間Ｓ１側における遮蔽パネル７１の取付位置は、上側の間仕切りパネル２１と、左側の垂直パネル３１と、ロッカー本体の左の側壁面１１とによって囲まれる範囲であり、下部空間Ｓ２側における遮蔽パネル７２の取付位置は、下側の間仕切りパネル２２と、右側の垂直パネル３２と、ロッカー本体の右の側壁面１２とによって囲まれる範囲である。当然であるが、仕切部材２０は左右対称に配することもできるので、その場合は遮蔽パネル７１，７２の取付位置は、左右上下において逆となる。また遮蔽パネル７１，７２は、利用者から見て最も手前側の位置に一枚配しておけば良い。
【００１８】
従って、かかるロッカー構造によれば、上下二段に使用するロッカー１０の空間の利用効率が高まり、仕切部材２０の剛性が高まる結果として、特に上段空間Ｓ１を使用する者の利便が格段に向上する。間仕切りパネル２１、２２の荷重性能が高まり、従来のロッカーでは困難であった比較的重い荷物でもほぼ安全に収納できるようになるからである。また利用者は、丈の長い衣類を収納出来るほか、小物を入れる小空間Ｓ３−１，Ｓ３−２を独立した空間として利用でき、忘れ物等の事故を防ぐ利用上の確実性を得る。
【００１９】
尚、本発明に係る二段式ロッカーは、仕切部材２０の取付強度を向上させるものであり、必ずしも小空間Ｓ３−１、Ｓ３−２は、必要ではない。垂直パネル３１，３２の左右に十分なスペースをとらなくても、仕切部材２０の強度は確実に向上する。一方、遮蔽パネル７１，７２は必須である。盗難防止のためであり、また遮蔽パネル７１，７２を配することによって、間仕切りパネル２１、２２と垂直パネル３１，３２が、当該遮蔽パネル７１，７２を介してロッカー本体の側壁面１１，１２に支持されることになる。特に過重に対する強度が格段に向上することになる。
【００２０】
また小空間Ｓ３を設ける場合に、上下を仕切る画成パネルの部材は、例えば図６に示すように成形することが望ましい。これは、画成パネル３５の前面に水平の補強板７５を設けて部材全体を略Ｔ字状としたものである。図７は、このＴ字状部材を用いた仕切部材２０である。補強板７５は、間仕切りパネル２１，２２と水平に配され、同一の長さをもつ。図８は、この補強板７５を備えるロッカーを示すもので、補強板７５は、扉６１の上下端部に位置して、左右両端がロッカー側壁に固定される。この結果、扉６１の開閉に伴うロッカー本体の歪みを抑えることが出来る。尚、図８では、全体の構造を明瞭にするため遮蔽版７１，７２を省略して描いてある。
【００２１】
【発明の効果】
以上説明したように、本発明に係る二段式ロッカーによれば、剛性に優れる方形の開閉ドアを使用しつつ、上部ロッカーと下部ロッカーの独立を保証し、丈の長い衣類を収納することが可能となる。
【図面の簡単な説明】
【図１】  本発明に係る仕切部材の取付状態を例示する図である。
【図２】本発明に係る仕切部材を拡大して例示する斜視図である。
【図３】本発明に係る間仕切りパネルの取り付けを例示する図である。
【図４】図１の状態で、下段のドアを閉めた場合を例示する図である。
【図５】本発明に係る遮蔽パネルの取付位置を例示する図である。
【図６】本発明に係る画成パネルの他の実施形態を示す図である。
【図７】本発明に係る他の仕切部材を例示する図である。
【図８】図７に示す仕切部材を用いたロッカーを例示する図である。
【図９】従来の二段式ロッカーを示す図である。
【符号の説明】
１０  ロッカー
１１、１２  ロッカーの左右側壁
２０  仕切部材
２１，２２  間仕切りパネル
３１，３２  垂直パネル
３５  画成パネル
４６，４７  係止フック
６１  開閉扉
６３  ヒンジ
６５  把手
７０  隙間
７１，７２  遮蔽パネル
７５  補強板
Ｓ１  上部空間
Ｓ２  下部空間
Ｓ３  小空間
Ｆ１，Ｆ２  間仕切りパネルの先端部
Ｂ１，Ｂ２  係止フック（間仕切りパネルの基端部）
【図１】
0003692030.tif 000002
【図２】
0003692030.tif 000003
【図３】
0003692030.tif 000004
【図４】
0003692030.tif 000005
【図５】
0003692030.tif 000006
【図６】
0003692030.tif 000007
【図７】
0003692030.tif 000008
【図８】
0003692030.tif 000009
【図９】
0003692030.tif 000010